(57)【要約】【課題】発光体を取り付けても重力バランスの面で問題なく、周囲の風が弱く風車の回転速度が遅い場合であっても発光像を表示することができ、発光体を制御するための制御装置が複雑とならない発光像を表示可能な風車を提供する。【解決手段】回転軸に翼を取り付けた風車と、該風車の翼に取り付けられた発光体と、該発光体の点灯及び消滅の制御を行う制御装置から構成され、前記風車の翼の回転によって生じる発光体の回転軌跡上で前記制御装置によって発光体を点灯及び消灯することで残像効果を利用して発光像を表示可能な風車において、前記風車を垂直軸風車とするとともに、前記発光体を上下方向に列状に複数個配置した発光体列を取り付けた翼を、風車の回転方向に複数設け、前記制御装置によって前記発光体列を形成する発光体を翼の回転に同期して点灯及び消滅させることで残像効果を利用して発光像を表示する。【選択図】図１
2009074403.tif 000002
【特許請求の範囲】
【請求項１】
回転軸に翼を取り付けた風車と、該風車の翼に取り付けられた発光体と、該発光体の点灯及び消滅の制御を行う制御装置から構成され、前記風車の翼の回転によって生じる発光体の回転軌跡上で前記制御装置によって発光体を点灯及び消灯することで残像効果を利用して発光像を表示可能な風車において、
前記風車を垂直軸風車とするとともに、
前記発光体を上下方向に列状に複数個配置した発光体列を取り付けた翼を、風車の回転方向に複数設け、
前記制御装置によって前記発光体列を形成する発光体を翼の回転に同期して点灯及び消滅させることで残像効果を利用して発光像を表示することを特徴とする発光像を表示可能な風車。
【請求項２】
前記風車周囲の風速を検知する風速検知手段と、
前記風速検知手段で検知された風速を、残像効果による発光像表示が可能な回転速度で翼を回転させることができる風速であるか否かを判断する発光像表示判断手段と、
前記判断結果が可であれば前記制御装置に発光像表示を行う指令を出すとともに、前記判断結果が不可であれば前記制御装置に発光像表示を行わない指令を出す指令手段を設けたことを特徴とする請求項１記載の発光像を表示可能な風車。
【請求項３】
前記垂直軸風車の回転軸の回転によって駆動される交流発電機と、
該交流発電機によって得られる交流の電力を直流の電力に変換する整流器と、
該整流器で変換された直流の電力を蓄電する蓄電器を備え、
該蓄電器に蓄電された電力を、前記発光体の点灯及び消灯に使用する電力の少なくとも一部とするとともに、
前記風車を回転又は増速させる回転駆動手段を設け、
前記蓄電器に蓄電された電力を前記回転駆動手段の駆動用電力の一部とすることを特徴とする請求項１又は２記載の発光像を表示可能な風車。
【請求項４】
前記垂直軸風車の翼の表面に取り付けられる太陽電池と、
前記太陽電池によって得られる直流の電力を蓄電する蓄電器を備え、
該蓄電器に蓄電された電力を、前記発光体の点灯及び消灯に使用する電力の少なくとも一部とするともに、
前記風車を回転又は増速させる回転駆動手段を設け、
前記蓄電器に蓄電された電力を前記回転駆動手段の駆動用電力とすることを特徴とする請求項１〜３何れかに記載の発光像を表示可能な風車。
【請求項５】
前記垂直軸風車を、内翼がサボニウス翼であり、外翼がダリウス翼であるダリウス・サボニウス型風車とし、
前記複数の発光体列を、内翼であるサボニウス翼に設けることを特徴とする請求項１〜４何れかに記載の発光像を表示可能な風車。
【請求項６】
前記垂直軸風車を、内翼がサボニウス翼であり、外翼がダリウス翼であるダリウス・サボニウス型風車とし、
前記複数の発光体列を、外翼であるダリウス翼に設けることを特徴とする請求項１〜５何れかに記載の発光像を表示可能な風車。
【請求項７】
前記風車の残像効果による発光像表示部へ向けて光照射された照射光を受けて、翼回転面が背景面に対し光強度差を持つようにライトアップすることが可能なライトアップ手段と、
前記発光像表示判断手段による判断結果が可であれば前記ライトアップ手段にライトアップを実施する指令を出すと共に、前記判断結果が不可であれば前記ライトアップ手段にライトアップを行わない指令を出す指令手段を設けたことを特徴とする請求項２〜６何れかに記載の発光像を表示可能な風車。
【請求項８】
回転軸に翼を取り付けた風車と、該風車の翼に取り付けられた発光体と、該発光体の点灯及び消滅の制御を行う制御装置から構成され、前記風車の翼の回転によって生じる発光体の回転軌跡上で前記制御装置によって発光体を点灯及び消灯することで残像効果を利用して発光像を表示可能な風車において、
前記風車を垂直軸風車とするとともに、
前記発光体を上下方向に列状に複数個配置した発光体列を取り付けた翼を、風車の回転
方向に複数設け、
該風車の翼の回転位置を検出する回転位置検出手段を設け、
前記制御装置は、回転位置検出信号に基づいて発光体の表示開始信号を出力し、かつ回転位置検出信号から翼の回転速度を演算し、該回転速度に応じて発光体の点灯及び消滅時間を制御することを特徴とする請求項１記載の発光像を表示可能な風車。
【請求項９】
回転軸に翼を取り付けた風車と、該風車の翼に取り付けられた発光体と、該発光体の点灯及び消滅の制御を行う制御装置から構成され、前記風車の翼の回転によって生じる発光体の回転軌跡上で前記制御装置によって発光体を点灯及び消灯することで残像効果を利用して発光像を表示可能な風車において、
前記風車を垂直軸風車とするとともに、
前記発光体を上下方向に列状に複数個配置した発光体列を取り付けた翼を、風車の回転
方向に複数設け、
該風車の翼の回転位置を検出するセンサーを設け、
前記制御装置は、回転位置検出信号に基づいて発光体の表示開始信号を出力し、かつ回転位置検出信号から翼の回転速度を演算し、該回転速度に応じて発光体の点灯及び消滅時間を制御すると共に、
表示開始信号の出力を一回転または複数回転ごとに時間を遅らせるまたは早めることにより、表示位置を回転方向または反回転方向に移動させることで、３６０度全視野方向で表示の視認ができるように発光像を表示することを特徴とする請求項１記載の発光像を表示可能な風車。
【発明の詳細な説明】
【技術分野】
【０００１】
本発明は、回転軸に翼を取り付けた風車と、該風車の翼に取り付けられた発光体と、該発光体の点灯及び消滅の制御を行う制御装置から構成され、前記風車の翼の回転によって生じる発光体の回転軌跡上で前記制御装置によって発光体を点灯及び消灯することで残像効果を利用して発光像を表示可能な風車に関するものである。
【背景技術】
【０００２】
従来より風を羽根に受けて回転させ、動力を得る風車が発電等に広く用いられている。
一方、例えば建物の屋上や歩道等に設置される回転広告装置が広く用いられている。これらの回転広告装置は、広告物、サービス内容、会社名などを表示した表示パネルをモータ等により回転させるもので、広告パネルが回転しない固定型のものに比べて人の目を引き付け易い。
【０００３】
しかしながら、前記回転広告装置は、回転させるためにモータ等の設備が必要であり、設置コストもランニングコストも大きい。
そこで両者を併せたものとして、広く用いられている風車の回転を利用し、風車の羽根に直接広告を取り付けた回転広告装置が考えられる。しかし、風車の羽根は例えばプロペラ型風車やダリウス型風車のように羽根自体が細く、広告を取り付けることが困難なタイプの羽根もある。また広告を取り付けることが可能な羽根であっても、風車の羽根の回転速度は、羽根の形状と風車周囲の風速によって変化するため常時同じ回転速度で広告を回転させておくことは難しい。
【０００４】
そこで、特許文献１には、風車の回転を利用して広告等の表示が可能な技術として、風車の羽根あるいは、受風によって回転する部分に、電気式の発光体を設置し、回転角度検出装置、発光点滅プログラム装置により、任意の回転角度位置に任意の文字や図形を描く風車を利用した電光表示装置が開示されている。
【０００５】
【特許文献１】特開２００３−１８４７２８号公報
【発明の開示】
【発明が解決しようとする課題】
【０００６】
しかしながら、特許文献１に開示された風車を利用した電光表示装置は、風車の回転軸が水平軸であるため、羽根は回転軸に一点支持されており、従来より使用している羽根に新たに発光体を取り付けることは重力バランスを考慮すると難しく、また新たに発光体一体型の羽根を製作すると設置コストが増大する。
また、羽根と羽根の間の間隔が大きく、回転方向に取り付けることができる発光体の数が制限され、周囲の風が弱く回転速度が小さい時には表示させたい発光像全体が残像として残らず、所望の発光像が得られなくなる。風が弱い場合にも所望の発光像を得るためには羽根を増やさなければならず、やはり設置コストが増大する。
さらに、同じ羽根に複数個の発光体を取り付けた場合、回転軸中心から発光体までの距離が異なると発光体の回転速度が異なるため、任意の発光像を表示させるための発光体の点滅プログラムが複雑となる。
さらに表示は、風上方向以外は表示を視認することができず、表示が見えるか否かは風向きに左右されてしまう。
【０００７】
従って、本発明はかかる従来技術の問題に鑑み、発光体を取り付けても重力バランスの面で問題なく、周囲の風が弱く風車の回転速度が遅い場合であっても発光像を表示することができ、風向きによらずどの方向からでも表示を視認でき、発光体を制御するための制御装置が複雑とならない発光像を表示可能な風車を提供することを目的とする。
【課題を解決するための手段】
【０００８】
上記課題を解決するため本発明においては、
回転軸に翼を取り付けた風車と、該風車の翼に取り付けられた発光体と、該発光体の点灯及び消滅の制御を行う制御装置から構成され、前記風車の翼の回転によって生じる発光体の回転軌跡上で前記制御装置によって発光体を点灯及び消灯することで残像効果を利用して発光像を表示可能な風車において、前記風車を垂直軸風車とするとともに、前記発光体を上下方向に列状に複数個配置した発光体列を取り付けた翼を、風車の回転方向に複数設け、前記制御装置によって前記発光体列を形成する発光体を翼の回転に同期して点灯及び消滅させることで残像効果を利用して発光像を表示することを特徴とする。
【０００９】
風車を垂直軸風車とすることで、羽根は垂直な回転軸に上下２ヶ所で両端支持されるため、羽根に発光体を取り付けても重力バランスの面で問題とはならない。
また、発光体を上下方向に列状に複数個配置した発光体列を翼に取り付けることで、同じ発光体列を形成する発光体の回転速度はそれぞれ大きく異なることはなく、発光像を表示させるためのプログラムが複雑とはならない。なお、発光体列を取り付ける翼が大きく湾曲している場合には、同じ発光体列を形成する発光体の速度が異なるため、出来る限り湾曲の小さい部分に発光体列を取り付けることが好ましい。
発光体列を取り付けた翼を回転方向に複数設けることで、発光体列間の距離が短くなり遅い回転速度であっても所望の発光像の表示が可能となる。また、１つの翼に取り付ける発光体列は１列とは限らず、１つの翼に複数列の発光体列を取り付けるとさらに発光体列間の距離が短くなり、さらに遅い回転速度であっても所望の発光体像の表示が可能となる。
【００１０】
また、風車の翼の回転位置を検出する回転位置検出手段と発光制御手段によって、表示開始信号タイミングとその回転速度に応じて発光体の点灯及び消滅時間を制御することで、例えば周囲の風速が変わる等の要因より発光像の表示中に翼の回転速度が変化した場合においても同じ位置と大きさに発光像を表示し続けることができる。また、例えば回転ごとに表示位置を回転方向又は反回転方向に移動させることにより、３６０度全視野方向で発光像の表示の視認をすることができる。
なお、回転位置検出手段は１つでもよく、また複数設けてもよい。
【００１１】
また、前記風車周囲の風速を検知する風速検知手段と、前記風速検知手段で検知された風速を、残像効果による発光像表示が可能な回転速度で翼を回転させることができる風速であるか否かを判断する発光像表示判断手段と、前記判断結果が可であれば前記制御装置に発光像表示を行う指令を出すとともに、前記判断結果が不可であれば前記制御装置に発光像表示を行わない指令を出す指令手段を設けたことを特徴とする。
【００１２】
本発明の発光像を表示可能な風車は、従来の装置であれば発光像を表示することができないくらい回転速度が遅くても発光像を表示することができるが、無風又は風車がほとんど回転しないような微風である場合にはやはり発光像は表示できない。
発光像表示判断手段を設けて、風速検知手段で検知した風速が残像効果による所望の発光像表示が可能な回転速度で翼を回転させることができる風速であるかどうかを判断して発光像表示を行うか行わないか選択することで、所望の発光像が表示可能である場合には表示され、所望の発光像が表示不可能である場合には発光像表示が行われないため、不本意な発光像が表示されることがなくなる。
【００１３】
前記垂直軸風車の回転軸の回転によって駆動される交流発電機と、該交流発電機によって得られる交流の電力を直流の電力に変換する整流器と、該整流器で変換された直流の電力を蓄電する蓄電器を備え、該蓄電器に蓄電された電力を、前記発光体の点灯及び消灯に使用する電力の少なくとも一部とするとともに、前記風車を回転又は増速させる回転駆動手段を設け、前記蓄電器に蓄電された電力を前記回転駆動手段の駆動用電力の一部とすることを特徴とする。
風車によって発電された電力を発光体の点灯及び消灯に使用することにより、外部から給電する電力を削減することができる。
また、回転駆動手段を設けることで、風の力だけでは所望の発光像が得られない無風や微風時においても回転駆動手段を設けて風車を回転又は増速させることで所望の発光像が得られるようになる。蓄電器に蓄電された電力を回転駆動手段の駆動用電力の一部とすることで外部から給電する電力量を減少させることができる。
【００１４】
また、前記垂直軸風車の翼の表面に取り付けられる太陽電池と、前記太陽電池によって得られる直流の電力を蓄電する蓄電器を備え、該蓄電器に蓄電された電力を、前記発光体の点灯及び消灯に使用する電力の少なくとも一部とするともに、前記風車を回転又は増速させる回転駆動手段を設け、前記蓄電器に蓄電された電力を前記回転駆動手段の駆動用電力とすることを特徴とする。
太陽電池によって発電された電力を発光体の点灯及び消灯に使用することにより、外部から給電する電力を削減することができる。
また、回転駆動手段を設けることで、風の力だけでは所望の発光像が得られない無風や微風時においても回転駆動手段を設けて風車を回転又は増速させることで所望の発光像が得られるようになる。蓄電器に蓄電された電力を回転駆動手段の駆動用電力の一部とすることで外部から給電する電力量を減少させることができる。
【００１５】
一般に、風の強い日は雨等の天候不良である場合が多く、晴天の日は風が弱い日が多いため、風車による発電機と、太陽電池は何れも設置することが好ましい。
【００１６】
また、前記垂直軸風車を、内翼がサボニウス翼であり、外翼がダリウス翼であるダリウス・サボニウス型風車とし、前記複数の発光体列を、内翼であるサボニウス翼に設けることを特徴とする。
ダリウス・サボニウス型風車は、サボニウス風車をスターターとし、ダリウス風車で出力運転を行なうことで高効率発電を実現した風車であり、垂直軸風車をダリウス・サボニウス型風車とすることで、高効率発電が可能となる。
またサボニウス翼は、翼表面積が大きいため１つの翼に複数の発光体列を取り付けることが可能である。さらにサボニウス翼は内翼であり、外翼であるダリウス翼と同期して回転しているので、風車が回転している場合には外翼であるダリウス翼よりも周速は速い。
したがってサボニウス翼に発光体列を設けることで、発光体列を外翼に設けるよりも速く回転させることができ、また発光体列間の間隔を短くすることができるため、小さい風速でも所望の発光像を表示させることが可能となる。
【００１７】
また、前記垂直軸風車を、内翼がサボニウス翼であり、外翼がダリウス翼であるダリウス・サボニウス型風車とし、前記複数の発光体列を、外翼であるダリウス翼に設けることを特徴とする。
ダリウス翼は外翼であるため、内翼よりも大きな半径の回転奇跡を描く。したがってダリウス翼に発光体列を設けるとより大きな発光像を表示することができる。しかし、所望の発光像を得るためには、サボニウス翼に発光体列を取り付けた場合よりも翼を高速回転させなければならない。
【００１８】
なお、サボニウス翼、ダリウス翼の何れに発光体列を設けるかは、本発明の発光像を表示可能な風車の設置場所での通常の風力、要求される発光像の大きさを考慮して選択することができる。
【００１９】
また、前記風車の残像効果による発光像表示部へ向けて光照射された照射光を受けて、翼回転面が背景面に対し光強度差を持つようにライトアップすることが可能なライトアップ手段と、前記発光像表示判断手段による判断結果が可であれば前記ライトアップ手段にライトアップを実施する指令を出すと共に、前記判断結果が不可であれば前記ライトアップ手段にライトアップを行わない指令を出す指令手段を設けたことを特徴とする。
【００２０】
前記風車の残像効果による発光像表示部へ向けて光照射された照射光を受けて、翼回転面が背景面に対し光強度差を持つようにライトアップすることで、翼回転面と背景面との光強度差により翼回転面が強調され美観がよくなる。さらに発光像も強調されて表示が強調される。
【発明の効果】
【００２１】
以上記載のごとく本発明によれば、発光体を取り付けても重力バランスの面で問題なく、周囲の風が弱く風車の回転速度が遅い場合であっても発光像を表示することができ、風向きによらずどの方向からでも表示を視認でき、発光体を制御するための制御装置が複雑とならない発光像を表示可能な風車を提供することができる。
【発明を実施するための最良の形態】
【００２２】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００２３】
図１は、本実施例１に係る発光像を表示可能な風車の斜視図であり、図２は図１に示した本実施例１に係る発光像を表示可能な風車の概略構成図である。図１及び図２を用いて本発明に係る発光像を表示可能な風車の構成について説明する。
【００２４】
本発明に係る発光像を表示可能な風車は、風車部１と支柱５と発電機械室６から概略構成されている。風車部１を形成する回転軸１３には複数のサボニウス翼１１と複数のダリウス翼１２が取り付けられ、支柱５は内部に伝達軸５１が組み込まれている。発電機械室６は発電機６１とブレーキ装置であるディスクローター６２とディスクパッド６３が組み込まれている。
【００２５】
支柱５は発電機械室６の上に垂直に起立し、該支柱５の内部に組み込まれた伝達軸５１の上端は回転軸１３下端に連結されている。一方伝達軸５１の下端は発電機６１を回転するように構成されている。つまり図２から明らかなように、発電機械室６に組み込まれている発電機６１は風車部１の回転と同じ速度で回って発電することが出来る低回転式発電機である。
また、図２に示すように、伝達軸５１の中間部にはディスクローター６２を設け、該ディスクローター６２の外周をディスクパッド６３で挟み込んで制動することができるように構成されている。
【００２６】
また、図示はしないが、サボニウス翼１１、ダリウス翼１２、及び支柱５の表面にはそれぞれ太陽電池を取り付けている。特にサボニウス翼１１、ダリウス翼１２に取り付けた太陽電池は風車の回転によって回転するため太陽の向きに関わらず発電が可能である。
【００２７】
また、本発明の特徴的な構成として、風車部１を形成する翼に複数の発光体２を上下方向に列状に配置した発光体列３を取り付けている。なお、図１及び図２には複数のサボニウス翼１１のうち１つだけに１列の発光体列３を取り付けた図を示しているが、発光体列３は１つの翼に複数列取り付けてもよく、またサボニウス翼１１ではなくダリウス翼１２に取り付けてもよい。また１つのサボニウス翼１１又はダリウス翼１２だけでなく、複数のサボニウス翼又はダリウス翼１２に取り付けてもよい。
なお、発光体２は電力を使用して発光するものであれば特に限定されるものではなく、例えば白熱電球等のように高温になることで発光するもの、水銀灯のように放電によって発光するもの、発光ダイオードを使用するもの等が挙げられる。とくに、発光ダイオードは消費電力が小さく、輝度が大きく長寿命であるため、発光体２として使用することが好ましい。
【００２８】
図３は図１及び図２の発光像を表示可能な風車の平面図であり、図３（Ａ）はダリウス翼１２に発光体２（発光体列３）を取り付けた例の平面図、図３（Ｂ）はサボニウス翼１１に発光体２（発光体列３）を取り付けた例の平面図である。
図３（Ａ）に示したように、ダリウス翼１２は翼回転面となる部分が狭いため１つの翼に１列の発光体列３を取り付けている。一方図３（Ｂ）に示したようにサボニウス翼１１は翼回転面となる部分が広いため１つの翼に２列の発光体列３を取り付けており、本実施例では２列の発光体列を取り付けたがこれに限定するものではなく１つの翼に１列又は３列以上の複数列の発光体列３を取り付けてもよい。
【００２９】
従って、サボニウス翼１１に発光体列３を設けると、発光体列３をダリウス翼１２に設けるよりも速く回転させることができるとともに、発光体列３間の間隔を短くすることができるため、小さい風速でも所望の発光像を表示させることが可能となる。
また、ダリウス翼１２に発光体列３を設けるとより大きな発光像を表示することができる。しかし、所望の発光像を得るためには、サボニウス翼１１に発光体列３を取り付けた場合よりも翼を高速回転させなければならない。
両者は一長一短であり、サボニウス翼１１、ダリウス翼１２の何れに発光体列を設けるかは、本発明の風車の設置場所での通常の風力、要求される発光像の大きさを考慮して選択するとよい。
【００３０】
図４は残像効果を利用して発光像を表示する原理の説明図である。図４を用いて、１つの発光体列を形成する発光体が１８個であり、「Ａ」という文字を表示する場合について説明する。
発光体列３が発光像表示開始の位置（発光制御開始位置）に達すると、発光体列３を形成する下から２番目と３番目の発光体を発光させる。発光体列３が移動し、２番目の発光制御位置に到達すると下から２番目から５番目の発光体が発光する。このようにして、発光体列３が移動し所定の位置で所定の発光体２を発光させると、発光させた位置が残像として残り、人間の目には「Ａ」と浮かび上がっているように見える。
【００３１】
さらに、風車部１にはホール素子と磁石からなり、翼の回転位置を検出する回転位置検出手段８が設けられている。
図５は回転位置検出手段８の平面図である。図５を用いて回転位置検出手段８の構成について説明する。
翼（サボニウス翼１１及びダリウス翼１２）と同体からなる回転軸１３に磁石８２を６０度おきに６個配置する。固定側にホール素子８１を配置し、該ホール素子８１によって磁石８２の磁気検出を行う。風が吹き風車が回転するとホール素子８１の出力信号が変化し翼（回転軸）の回転位置と速度を検出する。この検出信号により発光制御を行う。
図５に示した本実施例では、３本の翼に発光体２を設置しており、１２０度おきに３面の表示を行う。また３面に同じ内容を表示することにより、３６０度どの方向からでも表示を認識することが可能となる。
【００３２】
次に図７を用いて回転位置検出手段８を用いた発光像表示制御信号の一例を説明する。図７（Ａ）は翼が回転した時にホール素子８１で検出されるホールセンサー信号である。図７（Ｂ）は前記ホールセンサー信号のＡＤ変換後の出力波形であり、回転軸が６０度回転する度にパルス信号が発生する。翼の回転速度は、パルス立ち上りエッジａから次のパルスの立ち上りエッジｃまでの時間ｔｒにより算出することができる。図７（Ｃ）は後述する制御表示手段３２によって出力する表示開始トリガー信号であり、図７（Ｂ）のパルス信号の立下りエッジｄからｔｄの遅延時間を設け出力する。この表示関始トリガー信号が発生したら、図７（Ｄ）に示すＬＥＤ表示信号を発生させる。またＬＥＤ表示信号期間ｔｃは、ｔｒより算出される回転速度に応じてＬＥＤ表示信号パルス幅を変える。該ＬＥＤ表示信号により後述するスイッチ手段３３を介して発光体２の発光を制御する。この制御により、表示を常に一定位置と大きさにすることができる。
【００３３】
次に図６を用いて発光像の表示を移動させる例を示す。翼（回転軸）１回転ごとに図７に示した表示開始トリガー信号の遅延時間ｔｄを伸ばすことにより、表示位置を図２に示すように移動させる。これにより、一つの表示を３６０度移動させて表示することができ、全方向での発光像の視認が可能となる。
さらに、３本の翼の表示体の表示をそれぞれ異なる表示にしたり、一つの表示画像を３本の表示体に分割して表示するなどすることもできる。
【００３４】
図８は本実施例１に係る発光像を表示可能な風車の設置例である。
図８に示したようにビルの屋上のような人の目を引き付けやすい場所に設置して、例えば広告物、サービス内容、会社名を発光像によって表示すると広告効果は大きい。
また、前記風車の残像効果による発光像表示部へ向けて光照射された照射光を受けて、翼回転面が背景面に対し光強度差を持つようにライトアップすることが可能なライトアップ手段７を設けてライトアップすることで、さらに人の目に付きやすくなり広告効果が大きくなる。
【００３５】
図９は本実施例１に係る発光像を表示可能な風車及びその周辺の回路図である。
図９に基づき、本実施例１に係る発光像を表示可能な風車の回路について説明する。
風車１は図１〜図３を用いて説明したダリウス・サボニウス型風車である。風車１の翼に受けた風によって回転した風車１は、その回転によって発電機６１を駆動し、交流電力が発電される。発電機６１で発電された交流電力は、整流器１４で直流電力に変換された後、蓄電器１５に蓄電される。
【００３６】
一方、サボニウス翼１１、ダリウス翼１２、及び支柱５の表面に取り付けた太陽電池１６では直流電力が発電され、発電された直流電力は蓄電器１５に蓄電される。
風車１→発電機６１→整流器１４を経て蓄電器１５に蓄電された直流電力と、太陽電池１６から蓄電器１５に蓄電された直流電力は発光体３を発光させるための電力として用いられる。
【００３７】
一方、風車周囲の風速を検知する風速検知手段３１を設ける。
風速検知手段３１で台風等によって所定の風速Ａを越える風速を検知したときには、風車の破損を防止するため、ディスクパッド作動手段によってディスクパッド６３を作動し、前記ディスクローラー６２を挟み込んでブレーキをかけ、風車の回転を停止させる。
風速検知手段による風速が一定値Ａを越えない場合には前記回転位置検出手段８によって翼の回転位置を検知し、表示制御手段３２でスイッチ３３を介して発光体３の発光を制御するとともに、ライトアップ手段７０を制御する。
なお、表示制御手段３２にはあらかじめ所望の発光像を表示するための発光パターンを登録しておく必要がある。
【００３８】
風速検知手段３１の検知結果に応じた処理を図１０でフローチャートを用いて示した。図１０に基づいて、風速検知手段３１による検知結果に応じた処理について説明する。
ステップＳ１で、風速検知手段による検知結果が危険風速Ａ以上であるかどうか判断する。ＹＥＳであればステップＳ２で前述の通りディスクパッド６３を作動してディスクローラー６２を挟み込んでブレーキをかけ風車の回転を停止させる。一方ステップＳ１でＮＯであれば、ステップＳ３に進む。
【００３９】
ステップＳ３では、風速検知手段による検知結果が発光像を表示することが可能な風速Ｂ以上であるかどうか判断する。ＹＥＳであればステップＳ４に進み、予め登録した発光パターンに基づいて発光体３を発光させて発光像を表示させる。ステップＳ３でＮＯであればステップＳ５に進み、発光像を表示しないようにスイッチ手段３３を全てＯＦＦに制御する。
なお、Ｂは発光体列をサボニウス翼に取り付けた場合よりも、ダリウス翼に取り付けた場合の方が大きくなる。
【００４０】
図１１は本実施例１に係る発光像を表示可能な風車を用いて発光による残像３０を表示した様子を示す概略図であり、本図はダリウス翼１２に発光体列２を取り付けた場合の例である。図１１に示したように、ダリウス翼１２の回転によって生じる球体の内側で残像が表示される。
【産業上の利用可能性】
【００４１】
発光体を取り付けても重力バランスの面で問題なく、周囲の風が弱く風車の回転速度が遅い場合であっても発光像を表示することができ、発光体を制御するための制御装置が複雑とならない発光像を表示可能な風車として用いられ、特に広告の分野で利用される。
【図面の簡単な説明】
【００４２】
【図１】実施例１に係る発光像を表示可能な風車の斜視図である。
【図２】実施例１に係る発光像を表示可能な風車の概略構成図である。
【図３】実施例１に係る発光像を表示可能な風車の平面図である。
【図４】残像効果を利用して発光像を表示する原理の説明図である。
【図５】回転位置検出手段の平面図である。
【図６】発光像の表示を移動させる原理の説明するための回転位置検出手段の平面図である。
【図７】回転位置検出手段を用いた発光像表示制御信号の一例の説明図である。
【図８】本実施例１に係る発光像を表示可能な風車の設置例である。
【図９】本実施例１に係る発光像を表示可能な風車及びその周辺の回路図である。
【図１０】風速検知手段の検知結果に応じた処理を示すフローチャートである。
【図１１】実施例１に係る発光像を表示可能な風車を用いて発光による残像を表示した様子を示す概略図である。
【符号の説明】
【００４３】
１    風車
２    発光体
３    発光体列
７    ライトアップ手段
８    回転位置検出手段
１１    サボニウス翼
１２    ダリウス翼
１３    回転軸
１４    整流器
１５    蓄電器
１６    太陽電池
３１    風速検知手段
３２    表示制御手段
６１    発電機
【図１】
2009074403.tif 000003
【図２】
2009074403.tif 000004
【図３】
2009074403.tif 000005
【図４】
2009074403.tif 000006
【図５】
2009074403.tif 000007
【図６】
2009074403.tif 000008
【図７】
2009074403.tif 000009
【図８】
2009074403.tif 000010
【図９】
2009074403.tif 000011
【図１０】
2009074403.tif 000012
【図１１】
2009074403.tif 000013